(57)【要約】【課題】適切な冷却効果を得られる状態で設置の自由度をより高めることがプロジェクタ等を提供すること。【解決手段】プロジェクタ１０が、吸気方向の異なる複数の吸排気部１１０と、３次元的な設置方向を把握する方向把握部１８０と、前記設置方向に基づき、吸気すべき方向を決定するとともに、当該方向で吸気が行われるように、複数の吸排気部１１０のうち少なくとも１つの吸排気部１１０の制御を行う制御部１２０とを含んで構成される。【選択図】図２
2007206409.tif 000002
【特許請求の範囲】
【請求項１】
吸気方向の異なる複数の吸気部と、
３次元的な設置方向を把握する方向把握部と、
前記設置方向に基づき、吸気すべき方向を決定するとともに、当該方向で吸気が行われるように、前記複数の吸気部のうち少なくとも１つの吸気部の制御を行う制御部と、
を含むことを特徴とするプロジェクタ。
【請求項２】
請求項１に記載のプロジェクタにおいて、
プロジェクタ内部の温度を測定する温度測定部を含み、
前記制御部は、前記温度に基づき、前記制御を行うことを特徴とするプロジェクタ。
【請求項３】
請求項２に記載のプロジェクタにおいて、
前記制御部は、前記温度に基づき、最善の吸気すべき方向で吸気が行われている場合の温度が許容範囲外である場合、次善の吸気すべき方向で吸気が行われるように前記制御を行うことを特徴とするプロジェクタ。
【請求項４】
請求項１〜３のいずれかに記載のプロジェクタにおいて、
前記吸気部からの空気の流入量を測定する流入量測定部を含み、
前記制御部は、前記流入量に基づき、前記制御を行うことを特徴とするプロジェクタ。
【請求項５】
請求項１〜４のいずれかに記載のプロジェクタにおいて、
前記吸気部は、
開閉可能な開閉部と、
ファンと、
前記開閉部を制御する開閉制御部と、
前記ファンの回転を制御することによって吸気と排気を切り替える回転制御部と、
を含むことを特徴とするプロジェクタ。
【請求項６】
吸気方向の異なる複数の吸気部と、
３次元的な設置方向を把握する方向把握部と、
制御部と、
を含むプロジェクタの制御方法であって、
前記制御部は、
前記設置方向に基づき、吸気すべき方向を決定し、
当該方向で吸気が行われるように、前記複数の吸気部のうち少なくとも１つの吸気部の制御を行うことを特徴とする制御方法。
【発明の詳細な説明】
【技術分野】
【０００１】
本発明は、吸気の制御が可能なプロジェクタおよび制御方法に関する。
【背景技術】
【０００２】
一般的なプロジェクタは、底面に冷却用の吸気口が設けられている。しかし、天吊り形態でプロジェクタを使用する場合、吸気口が上面になってしまい、プロジェクタ内部に埃が入りやすくなってしまう。
【０００３】
例えば、特許文献１には、可動ダクトを用いることによって吸気口の位置を使用形態に応じて変更することが可能なプロジェクタが記載されている。
【特許文献１】特開２００２−２３２６０号公報
【発明の開示】
【発明が解決しようとする課題】
【０００４】
しかし、特許文献１のように、外部にダクトを設けた場合、プロジェクタを設置する際に当該ダクトが邪魔になってしまう。
【０００５】
また、プロジェクタ内部を適切に冷却するためには、吸気だけでなく排気も考慮するほうが好ましい。
【０００６】
本発明の目的は、適切な冷却効果を得られる状態でプロジェクタの設置の自由度をより高めることが可能なプロジェクタおよび制御方法を提供することにある。
【課題を解決するための手段】
【０００７】
上記課題を解決するため、本発明に係るプロジェクタは、吸気方向の異なる複数の吸気部と、
３次元的な設置方向を把握する方向把握部と、
前記設置方向に基づき、吸気すべき方向を決定するとともに、当該方向で吸気が行われるように、前記複数の吸気部のうち少なくとも１つの吸気部の制御を行う制御部と、
を含むことを特徴とする。
【０００８】
また、本発明に係る制御方法は、吸気方向の異なる複数の吸気部と、
３次元的な設置方向を把握する方向把握部と、
制御部と、
を含むプロジェクタの制御方法であって、
前記制御部は、
前記設置方向に基づき、吸気すべき方向を決定し、
当該方向で吸気が行われるように、前記複数の吸気部のうち少なくとも１つの吸気部の制御を行うことを特徴とする。
【０００９】
本発明によれば、プロジェクタは、設置方向に応じた吸気方向で吸気を行うことができる上、複数の吸気部を設けることによりダクトを設ける必要はないため、適切な冷却効果を得られる状態で設置の自由度をより高めることができる。
【００１０】
また、前記プロジェクタは、プロジェクタ内部の温度を測定する温度測定部を含み、
前記制御部は、前記温度に基づき、前記制御を行ってもよい。
【００１１】
これによれば、プロジェクタは、内部の温度に応じた吸気方向で吸気を行うことができるため、適切な冷却効果を得ることができる。
【００１２】
また、前記制御部は、前記温度に基づき、最善の吸気すべき方向で吸気が行われている場合の温度が許容範囲外である場合、次善の吸気すべき方向で吸気が行われるように前記制御を行ってもよい。
【００１３】
これによれば、プロジェクタは、内部の温度に応じた吸気方向で吸気を行うことができるため、適切な冷却効果を得ることができる。
【００１４】
また、前記プロジェクタは、前記吸気部からの空気の流入量を測定する流入量測定部を含み、
前記制御部は、前記流入量に基づき、前記制御を行ってもよい。
【００１５】
これによれば、プロジェクタは、空気の流入量に応じた吸気を行うことができるため、適切な冷却効果を得ることができる。
【００１６】
また、前記吸気部は、
開閉可能な開閉部と、
ファンと、
前記開閉部を制御する開閉制御部と、
前記ファンの回転を制御することによって吸気と排気を切り替える回転制御部と、
を含んでもよい。
【００１７】
これによれば、プロジェクタは、適切な方向で吸気と排気を行うことができるため、より適切な冷却効果を得ることができる。
【発明を実施するための最良の形態】
【００１８】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００１９】
図１は、本実施例におけるプロジェクタ１０の吸気口と排気口の関係を示す図である。
【００２０】
本実施例におけるプロジェクタ１０は、Ａ〜Ｅの５方向のいずれかで吸気または排気を行えるように、プロジェクタ１０の４面にそれぞれ吸気または排気が可能な吸排気部を有している。
【００２１】
例えば、プロジェクタ１０は、通常の使用状態ではＡから吸気し、Ｂから排気するが、縦置きにされてＤが底面になった状態ではＤから吸気し、Ａから排気する。
【００２２】
このように、本実施例におけるプロジェクタ１０は、３次元的な設置方向を把握し、設定方向に応じて吸気と排気を行うように形成されている。
【００２３】
次に、このような機能を実装するためのプロジェクタ１０の機能ブロックについて説明する。
【００２４】
図２は、本実施例におけるプロジェクタ１０の機能ブロック図である。
【００２５】
プロジェクタ１０は、吸気方向（排気方向）の異なる複数の吸排気部１１０−１〜１１０−４と、３次元的な設置方向を把握する方向把握部１８０と、設置方向に基づき、吸気すべき方向を決定するとともに、当該方向で吸気が行われるように、複数の吸排気部１１０−１〜１１０−４の全部または一部を制御する制御部１２０と、プロジェクタ１０内部の温度を測定する複数の温度測定部１３０−１〜１３０−６とを含んで構成されている。
【００２６】
なお、図示をわかりやすくするため、制御部１２０は、吸排気部１１０−１、温度測定部１３０−１のみ矢印が描かれているが、実際には、吸排気部１１０−２〜１１０−４を制御し、温度測定部１３０−２〜１３０−６の制御および測定結果の取得を行う。
【００２７】
また、プロジェクタ１０は、一般的な構成として、外部から画像信号等を入力するインターフェース部１６０と、ＣＰＵ等を有する画像処理部１５０と、ランプ、液晶パネル等を有する投写部１４０と、電力供給部１７０とを含んで構成されている。
【００２８】
次に、吸排気部１１０についてより詳細に説明する。
【００２９】
図３は、本実施例における吸排気部１１０の機能ブロック図である。
【００３０】
吸排気部１１０は、開閉部１１２と、開閉部１１２の開閉を制御する開閉制御部１１６と、ファン１１４と、ファン制御部１１８とを含んで構成されている。開閉制御部１１６が開閉部１１２の開閉を制御することにより、吸排気部１１０の使用、不使用が切り替えられる。また、ファン制御部１１８がファン１１４の回転方向（正逆の回転方向および回転軸方向）を制御することにより、吸気と排気の切り替え、図１に示すＤとＥのような方向の変更が行われる。
【００３１】
なお、上述した各部の機能を実装するためのハードウェアとしては例えば以下のものを採用可能である。例えば、開閉部１１２としてはシャッター等、開閉制御部１１６、ファン制御部１１８、制御部１２０としてはＣＰＵ等、方向把握部１８０としては複数の傾きセンサー（Ｇセンサー）、温度測定部１３０としては温度センサー等を採用可能である。
【００３２】
次に、これらの各部を用いた吸気と排気の制御の流れについて説明する。
【００３３】
図４は、本実施例における吸気と排気の制御の流れを示すフローチャートである。
【００３４】
方向把握部１８０は、一定時間（例えば、３０秒等）ごとまたはユーザーによる指示に応じてプロジェクタ１０の３次元的な設置方向を把握する（ステップＳ１）。
【００３５】
そして、制御部１２０は、方向把握部１８０からの設置方向を示す情報に基づき、現在の設置方向と比べて変化したかどうかを判定する（ステップＳ２）。
【００３６】
変化した場合、制御部１２０は、最善の選択となるように、吸排気部１１０−１〜１１０−４を制御し、プロジェクタ１０は、最も好ましい方向で吸気と排気を行う（ステップＳ３）。
【００３７】
例えば、制御部１２０は、吸気に関しては、底面（優先度高）、側面のうちレンズ面以外（優先度中）、側面のうちレンズ面（優先度低）の順番で選択を行う。また、制御部１２０は、排気に関しては、側面のうちレンズ面（優先度高）、側面のうちレンズ面以外で吸気面の反対側（優先度中）、側面のうち吸気面の隣の面（優先度低）の順番で選択を行う。
【００３８】
例えば、ステップＳ３においては、図１におけるＡに相当する吸排気部１１０−１が吸気用に使用され、図１におけるＢに相当する吸排気部１１０−２が排気用に使用される。より具体的には、吸排気部１１０−１における開閉部１１２が開かれ、ファン１１４が吸気方向に回転される。また、吸排気部１１０−２における開閉部１１２が開かれ、ファン１１４が排気方向に回転される。また、吸排気部１１０−３、１１０−４における開閉部１１２は閉じられ、ファン１１４は回転されない。
【００３９】
また、温度測定部１３０−１〜１３０−４は、それぞれ、吸排気部１１０−１〜１１０−４の温度を測定している。また、温度測定部１３０−５は投写部１４０の温度を測定し、温度測定部１３０−６は画像処理部１５０の温度を測定している。また、温度測定部１３０は温度を示す情報を制御部１２０に出力している。
【００４０】
ステップＳ２において、方向の変化がない場合、制御部１２０は、温度測定部１３０からの温度を示す情報に基づき、温度が許容範囲外になっている部分があるかどうかを判定する（ステップＳ４）。
【００４１】
温度が許容範囲外になっている部分がある場合、制御部１２０は、次善の選択（例えば、優先度中のもの）となるように、吸排気部１１０−１〜１１０−４を制御し、プロジェクタ１０は、次善の方向で吸気と排気を行う（ステップＳ５）。
【００４２】
これにより、吸排気の方向が変更され、温度が許容範囲外になっている部分の温度が低下する可能性が高まる。また、一定時間（例えば、３０分等）経過しても温度が許容範囲外のままの場合、制御部１２０は、次善の選択（例えば、優先度低のもの）となるように、吸排気部１１０−１〜１１０−４を制御する。
【００４３】
以上のように、本実施例によれば、プロジェクタ１０は、設置方向に応じた方向で吸気と排気を行うことができる上、複数の吸排気部１１０を設けることによりダクトを設ける必要はないため、適切な冷却効果を得られる状態で設置の自由度をより高めることができる。
【００４４】
これにより、プロジェクタ１０への埃の進入を抑制しつつプロジェクタ１０の設置の自由度を高めることができる。また、これにより、プロジェクタ１０の故障の確率が低下し、プロジェクタ１０のメンテナンスの手間も軽減される。
【００４５】
また、プロジェクタ１０は、内部の温度を測定し、温度に応じた方向で吸気と排気を行うことができるため、適切な冷却効果を得ることができる。
【００４６】
なお、本発明は、上述した実施例に限定されず、種々の変形が可能である。
【００４７】
例えば、吸排気部１１０は、吸気と排気の両方を行えるように形成されているが、吸気のみを行う吸気部として形成されてもよい。
【００４８】
また、例えば、プロジェクタ１０は吸排気部１１０からの空気の流入量を測定する流入量測定部を含んでもよく、制御部１２０は、流入量に基づき、吸排気部１１０を制御してもよい。
【００４９】
これによれば、プロジェクタ１０は、空気の流入量に応じた吸気を行うことができるため、適切な冷却効果を得ることができる。より具体的には、例えば、吸気を行う開閉部１１２付近に物が置かれている場合、期待されている吸気を行えない場合も考えられる。空気の流入量を測定することにより、温度を測定する場合と比べ、制御部１２０は、より迅速に吸気すべき吸排気部１１０を切り替えることができる。
【００５０】
また、上述した実施例では、プロジェクタ１０は、吸気と排気をそれぞれ１つの吸排気部１１０を用いて行ったが、複数の吸排気部１１０を用いて吸気したり、複数の吸排気部１１０を用いて排気したりしてもよい。
【００５１】
また、プロジェクタ１０は、液晶プロジェクタに限定されず、ＤＭＤを用いたプロジェクタ、ＣＲＴプロジェクタ等の種々のプロジェクタ（前面投写型投写装置）を採用可能である。なお、ＤＭＤは米国テキサスインスツルメンツ社の商標である。
【００５２】
また、上述したプロジェクタ１０の機能は、例えば、プロジェクタ単体で実装してもよいし、複数の処理装置で分散して（例えば、プロジェクタとＰＣとで分散処理）実装してもよい。
【図面の簡単な説明】
【００５３】
【図１】本実施例におけるプロジェクタの吸気口と排気口の関係を示す図である。
【図２】本実施例におけるプロジェクタの機能ブロック図である。
【図３】本実施例における吸排気部の機能ブロック図である。
【図４】本実施例における吸気と排気の制御の流れを示すフローチャートである。
【符号の説明】
【００５４】
１０  プロジェクタ、１１０  吸排気部（吸気部）、１１２  開閉部、１１４  ファン、１１６  開閉制御部、１１８  ファン制御部、１２０  制御部、１３０  温度測定部、１８０  方向把握部
【図１】
2007206409.tif 000003
【図２】
2007206409.tif 000004
【図３】
2007206409.tif 000005
【図４】
2007206409.tif 000006